(57)【特許請求の範囲】
【請求項１】
操作パネルから現在処理中のカレントジョブに対する中止を指示する中止指示手段を有する印刷装置と、原稿から読み取った原稿画像データをページ記述言語で記述して前記印刷装置へ送信する画像読取装置とを有する印刷システムにおいて、
前記画像読取装置は、
前記印刷装置からジョブの保有状態を示すジョブ保有情報を取得する取得手段と、
前記原稿から原稿画像データを読み取って、該読み取った原稿画像データをページ記述言語で記述してコピージョブとして前記印刷装置へ送信する制御手段と、
コピー開始指示を受け付ける受付手段と、
前記受付手段によりコピー開始指示を受け付けた場合、前記取得手段により取得した前記ジョブ保有情報により前記印刷装置がジョブ保有状態にあるか否かを判別し、前記印刷装置がジョブ保有状態にあると判別された場合は、ジョブ保有がなくなるまで原稿の読込開始処理を保留する保留制御手段と
を具備することを特徴とする印刷システム。
【請求項２】
前記保留制御手段は、
前記取得手段により取得した前記ジョブ保有情報により前記印刷装置のジョブ保有がなくなったことが判別された場合に、前記保留を解除する
ことを特徴とする請求項１記載の印刷システム。
【請求項３】
前記制御手段は、
前記原稿に対してスキャン処理を実行し原稿画像データの読み取り制御を行う画像読取制御手段と、
前記画像読取制御手段で読み取られた原稿画像データをページ記述言語で記述して前記コピージョブを生成するコピージョブ生成手段と、
前記コピージョブ生成手段で生成されたコピージョブを前記印刷装置へ送信する送信手段と
を具備し、
前記保留制御手段は、
前記取得手段により取得した前記ジョブ保有情報により前記印刷装置がジョブ保有状態にあると判別された場合は、前記画像読取制御手段による原稿の読込開始処理、前記コピージョブ生成手段によるコピージョブ生成処理、前記送信手段によるコピージョブの送信処理を保留する
ことを特徴とする請求項１記載の印刷システム。
【請求項４】
前記制御手段は、
前記原稿画像データをページ記述言語で記述してコピージョブとして前記印刷装置へ送信する送信手段
を具備し、
前記保留制御手段は、
前記取得手段により取得した前記ジョブ保有情報により前記印刷装置がジョブ保有状態にあると判別された場合は、前記送信手段によるコピージョブの送信処理を保留する
ことを特徴とする請求項１記載の印刷システム。
【請求項５】
操作パネルから現在処理中のカレントジョブに対する中止を指示する中止指示手段を有する印刷装置に対して原稿から読み取った原稿画像データをページ記述言語で記述して前記印刷装置へ送信する画像読取装置において、
前記印刷装置からジョブの保有状態を示すジョブ保有情報を取得する取得手段と、
前記原稿から原稿画像データを読み取って、該読み取った原稿画像データをページ記述言語で記述してコピージョブとして前記印刷装置へ送信する制御手段と、
コピー開始指示を受け付ける受付手段と、
前記受付手段によりコピー開始指示を受け付けた場合、前記取得手段により取得した前記ジョブ保有情報により前記印刷装置がジョブ保有状態にあるか否かを判別し、前記印刷装置がジョブ保有状態にあると判別された場合は、ジョブ保有がなくなるまで原稿の読込開始処理を保留する保留制御手段と
を具備することを特徴とする画像読取装置。
【請求項６】
前記保留制御手段は、
前記取得手段により取得した前記ジョブ保有情報により前記印刷装置のジョブ保有がなくなったことが判別された場合に、前記保留を解除する
ことを特徴とする請求項５記載の画像読取装置。
【請求項７】
前記制御手段は、
前記原稿に対してスキャン処理を実行し原稿画像データの読み取り制御を行う画像読取制御手段と、
前記画像読取制御手段で読み取られた原稿画像データをページ記述言語で記述して前記コピージョブを生成するコピージョブ生成手段と、
前記コピージョブ生成手段で生成されたコピージョブを前記印刷装置へ送信する送信手段と
を具備し、
前記保留制御手段は、
前記取得手段により取得した前記ジョブ保有情報により前記印刷装置がジョブ保有状態にあると判別された場合は、前記画像読取制御手段による原稿の読込開始処理、前記コピージョブ生成手段によるコピージョブ生成処理、前記送信手段によるコピージョブの送信処理を保留する
ことを特徴とする請求項５記載の画像読取装置。
【請求項８】
前記制御手段は、
前記原稿画像データをページ記述言語で記述してコピージョブとして前記印刷装置へ送信する送信手段
を具備し、
前記保留制御手段は、
前記取得手段により取得した前記ジョブ保有情報により前記印刷装置がジョブ保有状態にあると判別された場合は、前記送信手段によるコピージョブの送信処理を保留する
ことを特徴とする請求項５記載の画像読取装置。
【請求項９】
操作パネルから現在処理中のカレントジョブに対する中止を指示する中止指示手段を有する印刷装置に対して原稿から読み取った原稿画像データをページ記述言語で記述して前記印刷装置へ送信する画像読取装置の制御方法であって、
コピー開始指示を受付手段により受け付け、
前記受付手段により前記コピー開始指示を受け付けることにより、前記印刷装置からジョブの保有状態を示すジョブ保有情報を取得手段で取得し、
前記取得手段により取得した前記ジョブ保有情報により前記印刷装置がジョブ保有状態にある場合は、ジョブ保有がなくなるまで原稿の読込開始を保留制御手段で保留し、
前記取得手段により取得した前記ジョブ保有情報により前記印刷装置のジョブ保有がなくなった場合は、前記保留制御手段による保留を解除し、
前記保留手段による前記保留の解除後、前記原稿から原稿画像データを読取手段により読取る
ことを特徴とする画像読取装置の制御方法。
【発明の詳細な説明】
【技術分野】
【０００１】
本発明は、印刷システムおよび画像読取装置およびその制御方法に係わり、詳しくは、印刷装置のジョブ保有がなくなるまで、画像読取装置側からの少なくともコピージョブの送信を保留するようにした印刷システムおよび画像読取装置およびその制御方法に関する。
【背景技術】
【０００２】
近年、複写機、複合機等のＯＡ（Office Automation）機器においては、低価格化が進み、これらＯＡ機器を顧客に提供するハードウェアメーカでは、その対策が必要となっている。
【０００３】
そのため、スキャナとプリンタとを用いて、これらが連携することでコピー処理等の印刷処理を実現するスキャナプリンタシステム（印刷システム）が提案されている。
【０００４】
このような印刷システムによると、簡易な構成により、コピー処理等の印刷処理が実現できるのに加えて、複合機や複写機を導入するのに比べて、その導入コストを大幅に抑えることができるという利点がある。
【０００５】
この種の印刷システムにおいて、スキャナとプリンタとが連携して印刷処理を行う場合には、スキャナ側は、プリンタ側のジョブ保有状態に拘わらずコピージョブを送信し、プリンタは受信したコピージョブをプリントジョブ（スキャナ以外のホスト端末等からのジョブ）と同一のジョブキューに格納する。したがって、プリンタ側でプリントジョブ処理中に、スキャナ側からコピージョブを受信した場合、そのコピージョブは先行するプリントジョブの次に格納され印刷待ちとなる。
【０００６】
そして、このプリンタのジョブキューに格納された印刷ジョブに対してユーザ操作を行えるようにした技術として、例えば、特許文献１に記載されたものが知られている。この特許文献１では、プリンタにスプール中となっている印刷ジョブを一覧にして、プリンタと接続されたホスト端末のディスプレイに表示し、その一覧から印刷を所望するジョブを指定することができるという技術について言及されている。
【特許文献１】特開２００１−２８２４７６号
【発明の開示】
【発明が解決しようとする課題】
【０００７】
しかしながら、プリンタにスプール中となっている印刷ジョブに対してホスト端末から中止等の指示を与えることは、従来より一般的に行われていたが、プリンタ上からジョブキューに格納された（スプール中の）印刷ジョブを選択して中止することはできなかった。
【０００８】
すなわち、現状市場に流通している大多数のプリンタの仕様においては、その操作パネルからジョブキューに格納されている印刷ジョブに対して中止指示を行う場合、その中止対象となるジョブは、現在処理中のカレントジョブに限られていた。
【０００９】
これに対して、スキャナ側で実行中、あるいは送信待ちとなっているジョブに対しては、スキャナの操作パネルから即座に中止を指示することはできた。
【００１０】
そのため、プリンタ側でプリントジョブ処理中に、スキャナ側で誤った原稿のスキャン処理を開始してしまった場合には、コピージョブ送信前であればその中止が即座に指示できたが、コピージョブをプリンタ側に送信してしまった後では、そのジョブはプリンタ側でカレントジョブとして実行されないため、プリンタの操作パネルから即座に中止を指示できなかった。
【００１１】
また、できたとしても処理中のプリントジョブが終了し、コピージョブがカレントジョブになるまで待つ必要があり、誤って他の印刷ジョブを中止してしまうといった操作ミスも生じかねない。
【００１２】
そこで、本発明は上記問題点に鑑みてなされたものであり、現行の印刷装置の仕様を活かしつつ、画像読取装置からのジョブに対する中止処理を即座かつ、確実に行えるようにした印刷システムおよび画像読取装置およびその制御方法を提供することを目的とする。
【課題を解決するための手段】
【００１３】
上記目的を達成するために、請求項１の発明は、操作パネルから現在処理中のカレントジョブに対する中止を指示する中止指示手段を有する印刷装置と、原稿から読み取った原稿画像データをページ記述言語で記述して前記印刷装置へ送信する画像読取装置とを有する印刷システムにおいて、前記画像読取装置は、前記印刷装置からジョブの保有状態を示すジョブ保有情報を取得する取得手段と、前記原稿から原稿画像データを読み取って、該読み取った原稿画像データをページ記述言語で記述してコピージョブとして前記印刷装置へ送信する制御手段と、コピー開始指示を受け付ける受付手段と、前記受付手段によりコピー開始指示を受け付けた場合、前記取得手段により取得した前記ジョブ保有情報により前記印刷装置がジョブ保有状態にあるか否かを判別し、前記印刷装置がジョブ保有状態にあると判別された場合は、ジョブ保有がなくなるまで原稿の読込開始処理を保留する保留制御手段とを具備することを特徴とする。
【００１４】
また、請求項２の発明は、請求項１の発明において、前記保留制御手段は、前記取得手段により取得した前記ジョブ保有情報により前記印刷装置のジョブ保有がなくなったことが判別された場合に、前記保留を解除することを特徴とする。
【００１５】
また、請求項３の発明は、請求項１の発明において、前記制御手段は、前記原稿に対してスキャン処理を実行し原稿画像データの読み取り制御を行う画像読取制御手段と、前記画像読取制御手段で読み取られた原稿画像データをページ記述言語で記述して前記コピージョブを生成するコピージョブ生成手段と、前記コピージョブ生成手段で生成されたコピージョブを前記印刷装置へ送信する送信手段とを具備し、前記保留制御手段は、前記取得手段により取得した前記ジョブ保有情報により前記印刷装置がジョブ保有状態にあると判別された場合は、前記画像読取制御手段による原稿の読み取り処理、前記コピージョブ生成手段によるコピージョブ生成処理、前記送信手段によるコピージョブの送信処理を保留することを特徴とする。
【００１６】
また、請求項４の発明は、請求項１の発明において、前記制御手段は、前記原稿画像データをページ記述言語で記述してコピージョブとして前記印刷装置へ送信する送信手段を具備し、前記保留制御手段は、前記取得手段により取得した前記ジョブ保有情報により前記印刷装置がジョブ保有状態にあると判別された場合は、前記送信手段によるコピージョブの送信処理を保留することを特徴とする。
【００１７】
また、請求項５の発明は、操作パネルから現在処理中のカレントジョブに対する中止を指示する中止指示手段を有する印刷装置に対して原稿から読み取った原稿画像データをページ記述言語で記述して前記印刷装置へ送信する画像読取装置において、前記印刷装置からジョブの保有状態を示すジョブ保有情報を取得する取得手段と、前記原稿から原稿画像データを読み取って、該読み取った原稿画像データをページ記述言語で記述してコピージョブとして前記印刷装置へ送信する制御手段と、コピー開始指示を受け付ける受付手段と、前記受付手段によりコピー開始指示を受け付けた場合、前記取得手段により取得した前記ジョブ保有情報により前記印刷装置がジョブ保有状態にあるか否かを判別し、前記印刷装置がジョブ保有状態にあると判別された場合は、ジョブ保有がなくなるまで原稿の読込開始処理を保留する保留制御手段とを具備することを特徴とする。
【００１８】
また、請求項６の発明は、請求項５の発明において、前記保留制御手段は、前記取得手段により取得した前記ジョブ保有情報により前記印刷装置のジョブ保有がなくなったことが判別された場合に、前記保留を解除することを特徴とする。
【００１９】
また、請求項７の発明は、請求項５の発明において、前記制御手段は、前記原稿に対してスキャン処理を実行し原稿画像データの読み取り制御を行う画像読取制御手段と、前記画像読取制御手段で読み取られた原稿画像データをページ記述言語で記述して前記コピージョブを生成するコピージョブ生成手段と、前記コピージョブ生成手段で生成されたコピージョブを前記印刷装置へ送信する送信手段とを具備し、前記保留制御手段は、前記取得手段により取得した前記ジョブ保有情報により前記印刷装置がジョブ保有状態にあると判別された場合は、前記画像読取制御手段による原稿の読み取り処理、前記コピージョブ生成手段によるコピージョブ生成処理、前記送信手段によるコピージョブの送信処理を保留することを特徴とする。
【００２０】
また、請求項８の発明は、請求項５の発明において、前記制御手段は、前記原稿画像データをページ記述言語で記述してコピージョブとして前記印刷装置へ送信する送信手段を具備し、前記保留制御手段は、前記取得手段により取得した前記ジョブ保有情報により前記印刷装置がジョブ保有状態にあると判別された場合は、前記送信手段によるコピージョブの送信処理を保留することを特徴とする。
【００２１】
また、請求項９の発明は、操作パネルから現在処理中のカレントジョブに対する中止を指示する中止指示手段を有する印刷装置に対して原稿から読み取った原稿画像データをページ記述言語で記述して前記印刷装置へ送信する画像読取装置の制御方法であって、コピー開始指示を受付手段により受け付け、前記受付手段により前記コピー開始指示を受け付けることにより、前記印刷装置からジョブの保有状態を示すジョブ保有情報を取得手段で取得し、前記取得手段により取得した前記ジョブ保有情報により前記印刷装置がジョブ保有状態にある場合は、ジョブ保有がなくなるまで原稿の読込開始を保留制御手段で保留し、前記取得手段により取得した前記ジョブ保有情報により前記印刷装置のジョブ保有がなくなった場合は、前記保留制御手段による保留を解除し、前記保留手段による前記保留の解除後、前記原稿から原稿画像データを読取手段により読取ることを特徴とする。
【発明の効果】
【００２２】
本発明は、印刷装置からジョブの保有状態を示すジョブ保有情報を取得し、該ジョブ保有情報により印刷装置がジョブ保有状態にある場合は、画像読取装置側からの少なくともコピージョブの送信を印刷装置のジョブ保有がなくなるまで保留するように構成したため、印刷装置では、画像読取装置側からのジョブを常にカレントジョブとして実行することができる。
【００２３】
これにより、印刷装置の操作パネルからは、カレントジョブに対する中止処理しか指示できなくとも、コピージョブの中止を即座に行えるようになる。また、印刷装置で実行される画像読取装置側からのコピージョブは、常にカレントジョブとして実行されるため、誤って他のジョブを中止してしまうといった誤操作が生じる可能性も低い。
【００２４】
以上のことから、現行の印刷装置の仕様を活かしつつ、画像読取装置からのジョブに対する中止処理を即座かつ、確実に行えるという効果を奏する。
【発明を実施するための最良の形態】
【００２５】
以下、この発明に係わる印刷システムおよび画像読取装置およびその制御方法の実施例について添付図面を参照して詳細に説明する。
【００２６】
図１は、本発明に係わる印刷システムの全体構成の一例を示すブロック図である。
【００２７】
この印刷システムは、スキャナ１０と、プリンタ２０の他、１または複数台のホスト端末３０がそれぞれＬＡＮ（Local Area Network）４０等のネットワークを介して接続される。
【００２８】
なお、本実施例においては、スキャナ１０とプリンタ２０とがＬＡＮ４０を介して接続される場合を説明するが、スキャナ１０とプリンタ２０とが相互に通信できればよく、例えば、同図点線枠内に示すように、スキャナ１０とプリンタ２０とをＵＳＢやセントロニクス４１等により直接接続してもかまわない。
【００２９】
スキャナ１０は、プラテンガラス上に載置、あるいはプラテンガラス上を搬送される原稿からスキャン動作によって図形や写真または文字などを読み取って、デジタルデータに変換する画像読取装置である。ここで読み取られた原稿画像データ（ビットマップイメージ）は、所定のページ記述言語で記述されてコピージョブとしてプリンタ２０へ送信され、プリンタ２０にてその印刷処理が実行される。
【００３０】
スキャナ１０には、比較的操作性に優れた操作パネル（後述するスキャナ操作パネル：１５）が設けられ、この操作パネルから原稿に対する読み取り条件の設定や、読み取られた原稿画像データに対する印刷設定値等の指定を行うことができる。また、スキャナ１０で実行中の読取ジョブ、あるいはプリンタ送信前のコピージョブに対しては、この操作パネルから即座に中止を指示できる。
【００３１】
プリンタ２０は、スキャナ１０からのコピージョブや、ホスト端末３０からのプリントジョブを受信して、かかるジョブ（以下、コピージョブおよびプリントジョブを総称して印刷ジョブという）内のページ記述言語を解釈して印刷処理を実行する印刷装置である。スキャナ１０と連携し、スキャナ１０で読み取られた原稿画像データをプリンタ２０で印刷出力することで、コピー機能を実現することができる。
【００３２】
プリンタ２０には、主に文字のみの表示に限られた操作パネル（プリンタ操作パネル：２４）が設けられる。この操作パネルはその仕様上、プリンタ２０のジョブキューに格納された印刷ジョブに対して中止操作を行う場合、その中止対象ジョブは、現在処理中のカレントジョブに限られる。
【００３３】
ホスト端末３０は、ユーザが扱うパーソナルコンピュータ等であり、ＬＡＮ４０上には１または複数台のホスト端末３０が接続されている。ユーザは、このホスト端末３０上から所望の印刷対象データを選択し、プリンタ２０に対して印刷の依頼を行うことができる。
【実施例１】
【００３４】
ここで、図１に示す全体構成を有する印刷システムにおける第１の実施例について説明する。
【００３５】
図２は、本発明に係わるスキャナ１０の内部構成の一例を示すブロック図である。なお、ここでは、本発明に係わる構成要素のみを挙げて説明する。
【００３６】
スキャナ１０は、その構成として、スキャン対象の原稿がセットされる給紙トレイ１１と、照明ランプ、レンズ、ＣＣＤ（Charge Coupled Device）等から構成され、給紙トレイ１１にセットされた原稿に対してスキャン処理を行い原稿画像データを読み取る画像読取部１２と、読み取られた原稿画像データを一時的にキャッシュするスキャンバッファ１３と、ＣＰＵ（Central Processing Unit）、プログラム用メモリ、作業用メモリ等から構成され、ＣＰＵが、このプログラム用メモリに格納されたプログラムに従うことによりスキャナ１０を統括制御するスキャナ制御部１４と、ユーザとスキャナ１０とを繋ぐユーザインターフェースであるスキャナ操作パネル１５と、ネットワークカード、ＵＳＢポート等から構成され、スキャナ１０と他装置（プリンタ２０等）とを接続する通信インターフェース装置であるスキャナ通信部１６とを具備して構成される。
【００３７】
給紙トレイ１１には、自動給紙フィーダ１１ａが設けられ、複数枚の原稿がセットされた場合にも、この自動給紙フィーダ１１ａが、その原稿を１枚ずつ順次繰り出して、図示しないプラテンガラス上を経由して図示しない排紙トレイへと搬送する。
【００３８】
画像読取部１２は、自動給紙フィーダ１１ａにより、プラテンガラス上に搬送される原稿に対してスキャン処理を行い原稿画像データの読み取り処理を行う。これを繰り返すことによって、給紙トレイ１１にセットされた原稿を連続的に読み取ることができる。
【００３９】
スキャナ制御部１４は内部に、各種処理機能部として、ジョブ保有情報取得部５１と、送信可否判断部５２と、保留制御部５３と、読取ジョブ実行制御部５４とを具備して構成される。
【００４０】
ジョブ保有情報取得部５１は、プリンタ２０のジョブ保有情報を取得する処理部である。ジョブ保有情報取得部５１は、プリンタ２０に対してプリンタ状態取得要求を送信し、その応答としてプリンタ状態取得応答を受信することで、プリンタ２０のジョブ保有状態を取得する。なお、本実施例におけるジョブ保有情報とは、プリンタ２０で実行中あるいは、実行待ちとなっているジョブがあるかないかの情報（ジョブ有り、ジョブ無し）である。
【００４１】
送信可否判断部５２は、プリンタ２０に対してコピージョブを送信するか否かの判断を行う。この送信可否判断部５２では、ジョブ保有情報取得部５１で取得したプリンタ２０のジョブ保有情報によりコピージョブを送信するか否かを判断する。プリンタ２０のジョブ保有情報がジョブ無しである場合には、コピージョブの送信を許可するが、プリンタ２０のジョブ保有情報がジョブ有りである場合には、コピージョブの送信を不可と判断する。
【００４２】
すなわち、この送信可否判断部５２では、プリンタ２０において、スキャナ１０からのコピージョブがカレントジョブとして実行されるように、コピージョブの送信可否を判断する。これにより、プリンタ２０の操作パネルから即座にコピージョブの中止が行えるようになる。
【００４３】
保留制御部５３は、送信可否判断部５２でコピージョブ送信不可と判断された場合に、後述する読取ジョブ実行制御部５４による読取ジョブの実行を保留する。また、読取ジョブ保留中に、送信可否判断部５２でコピージョブの送信可と判断された場合には、そのジョブに対する保留を解除する。
【００４４】
読取ジョブ実行制御部５４は、スキャン動作、コピージョブ生成、コピージョブ送信処理等の読取ジョブの実行を制御する。読取ジョブ実行制御部５４は内部に、自動給紙フィーダ１１ａおよび画像読取部１２の動作制御を行い、原稿の読み取り処理を制御する画像読取制御部５４ａと、読み取られた原稿画像データをページ記述言語で記述してコピージョブを生成するジョブ生成部５４ｂと、ジョブ生成部５４ｂで生成されたコピージョブの送信処理を実行する送信処理部５４ｃとを具備して構成される。
【００４５】
スキャナ操作パネル１５は、スキャナ１０本体に配設された操作パネルであり、ＬＥＤ（Light Emitting Diode）、ＬＣＤ（Liquid Crystal Display）などの表示用デバイスであるスキャナ表示部１５ａと、タッチパネル、ハードボタンなどの入力用デバイスであるスキャナ操作部１５ｂとを備える。以上が本発明に係わるスキャナ１０の内部構成を示すブロック図の説明である。
【００４６】
図３は、本発明に係わるプリンタ２０の内部構成の一例を示すブロック図である。なお、ここでは、本発明に係わる構成要素のみを挙げて説明する。
【００４７】
プリンタ２０は、その構成として、感光ドラム、転写ベルト等から構成され、受信した印刷ジョブに基づいて印刷処理を実行する印刷出力部２１と、印刷ジョブを一時的にキャッシュするプリンタバッファ２２と、ＣＰＵ（Central Processing Unit）、プログラム用メモリ、作業用メモリ等から構成され、ＣＰＵが、このプログラム用メモリに格納されたプログラムに従うことによりプリンタ２０を統括制御するプリンタ制御部２３と、ユーザとプリンタ２０とを繋ぐユーザインターフェースであるプリンタ操作パネル２４と、ネットワークカード、ＵＳＢポート等から構成され、プリンタ２０と他装置（スキャナ、ホスト端末等）とを接続する通信インターフェース装置であるプリンタ通信部２５とを具備して構成される。
【００４８】
プリンタ制御部２３は内部に、各種処理機能部として、ジョブ保有情報応答部６１と、ジョブ管理部６２と、中止処理部６３と、ジョブ実行制御部６４とを具備して構成される。
【００４９】
ジョブ保有情報応答部６１は、スキャナ１０からのジョブ保有情報の問合せに対する応答を行う。より具体的には、スキャナ１０からプリンタ状態取得要求を受信すると、後述するジョブ管理部６２からジョブの保有状態を取得して、その状態に基づいてプリンタ状態取得応答を返送する。このプリンタ状態取得応答には、ジョブ有り、ジョブ無しが設定される。
【００５０】
ジョブ管理部６２は、スキャナ１０やホスト端末３０から受信した印刷ジョブをジョブキューにて管理する。このジョブ管理部６２は、ジョブキューにて先入れ先出しにて印刷ジョブを管理するため、後述するジョブ実行制御部６４では、先に受信した印刷ジョブから順次実行することとなる。
【００５１】
中止処理部６３は、後述するジョブ実行制御部６４による印刷ジョブの実行を中止させる。例えば、プリンタ操作パネル２４等からユーザにより印刷ジョブの中止が指示されると、その指示とともに当該ジョブの実行を中止する。
【００５２】
ジョブ実行制御部６４は、印刷ジョブの実行を制御する。例えば、コピージョブを実行する場合には、スキャナ１０から受信したコピージョブ内のページ記述言語を解釈し、印刷出力部２１を動作制御してスキャナ１０で読み取られた原稿画像データの印刷処理を実行する。
【００５３】
プリンタ操作パネル２４は、プリンタ２０本体に配設された操作パネルであり、ＬＥＤ（Light Emitting Diode）、ＬＣＤ（Liquid Crystal Display）などの表示用デバイスであるプリンタ表示部２４ａと、ハードボタンなどの入力用デバイスであるプリンタ操作部２４ｂとを備える。以上が本発明に係わるプリンタ２０の内部構成を示すブロック図の説明である。
【００５４】
図４は、本発明に係わるスキャナ１０およびプリンタ２０における動作の流れの一例を示すシーケンスチャート図である。
【００５５】
ここで、プリンタ２０は、プリントジョブあるいは、他のコピージョブの実行状態にある（ステップＳ１０１）。この状態でスキャナ１０においてスタートボタンが押下され読取ジョブの実行が指示されると（ステップＳ１０２）、スキャナ１０は、プリンタ２０のジョブ保有情報を取得する（ステップＳ１０３）。この処理は、プリンタ２０のジョブの保有状態がジョブ有りであるならば、ジョブ無しとなるまで継続して行われ、その間、ステップＳ１０２でのスタートボタン押下により開始されるスキャン動作、コピージョブ生成、コピージョブ送信処理等の読取ジョブの実行は保留される。
【００５６】
このジョブ保有情報の取得処理では、スキャナ１０からプリンタ状態取得要求が送信され、その応答として、プリンタ２０からプリンタ状態取得応答が返送される。同図では、１回目および２回目のプリンタ状態取得応答では、ジョブ有りである旨がスキャナ１０に返送されている。
【００５７】
そして、２回目のプリンタ状態取得応答をスキャナ１０で受信した直後に、プリンタ２０での印刷ジョブの実行が終了したため（ステップＳ１０４）、３回目のプリンタ状態取得応答では、プリンタ２０のジョブ保有状態がジョブ無しである旨がスキャナ１０に返送される。
【００５８】
プリンタ２０のジョブ保有状態がジョブ無しになったことを受けると、スキャナ１０は、読取ジョブの保留を解除し、原稿に対するスキャン処理を開始し原稿画像データを読み取る（ステップＳ１０５）。そして、この原稿画像データを所定のページ記述言語で記述してコピージョブを生成し（ステップＳ１０６）、プリンタ２０へ送信する（ステップＳ１０７）。
【００５９】
ジョブ未保有状態であるプリンタ２０は、このジョブを受信するとともに、当該ジョブを直ちに実行する（ステップＳ１０８）。すなわち、スキャナ１０から受信したジョブをカレントジョブとして実行する。
【００６０】
図５は、本発明に係わるスキャナ１０の動作の一例を示すフローチャートである。
【００６１】
スキャナ１０は、ユーザにより原稿が給紙トレイ１１にセットされ、スタートボタンが押下されるまで待機している（ステップＳ２０１でＮＯ）。
【００６２】
ここで、スタートボタンが押下され読取ジョブの実行が指示されると（ステップＳ２０１でＹＥＳ）、スキャナ１０は、まず、ジョブ保有情報取得部５１によりプリンタ２０のジョブ保有情報を取得する。すなわち、プリンタ２０に対してプリンタ状態取得要求を送信し（ステップＳ２０２）、その応答を受信することで、プリンタ２０のジョブ保有情報を取得する。
【００６３】
プリンタ状態取得要求を送信したスキャナ１０は、応答待ちとなる（ステップＳ２０３でＮＯ）。そして、この待機中にプリンタ２０から応答を受信すると（ステップＳ２０３でＹＥＳ）、プリンタ２０のジョブ保有状態によりコピージョブを送信するか否かを送信可否判断部５２で判断する。先に述べた通り、プリンタ２０のジョブ保有情報がジョブ無しである場合には、コピージョブの送信を許可するが、プリンタ２０のジョブ保有情報がジョブ有りである場合には、コピージョブの送信を不可と判断する。
【００６４】
ここで、送信可否判断部５２によりコピージョブの送信不可と判断された場合には（ステップＳ２０４でＮＯ）、保留制御部５３により、スキャン動作、コピージョブ生成、コピージョブ送信処理等の読取ジョブの実行を保留状態に制御し（ステップＳ２０５）、所定時間待機後（ステップＳ２０６）、再び、ステップＳ２０２に戻り、プリンタ２０に対してプリンタ状態取得要求を送信する。
【００６５】
一方、送信可否判断部５２によりコピージョブの送信可と判断された場合には（ステップＳ２０４でＹＥＳ）、読取ジョブが保留されているならば（ステップＳ２０７でＹＥＳ）、それを解除し（ステップＳ２０８）、読取ジョブが保留されていないならば（ステップＳ２０７でＮＯ）、そのまま読取ジョブの実行を開始する。
【００６６】
読取ジョブが開始されると、まず、画像読取制御部５４ａが自動給紙フィーダ１１ａおよび画像読取部１２を動作制御し、給紙トレイ１１にセットされた原稿から原稿画像データの読み取りを行う（ステップＳ２０９）。
【００６７】
そして、ジョブ生成部５４ｂで、この原稿画像データを所定のページ記述言語で記述したコピージョブを生成し（ステップＳ２１０）、そのコピージョブを送信処理部５４ｃによりプリンタ２０へ送信する（ステップＳ２１１）。
【００６８】
このステップＳ２０９からステップＳ２１１までの処理は、給紙トレイ１１にセットされた原稿が全てなくなるまで繰り返し行われ（ステップＳ２１２でＮＯ）、全ての原稿に対して処理が終了すると（ステップＳ２１２でＹＥＳ）、この処理は終了する。
【００６９】
以上説明したように本発明においては、スキャナ１０側からのコピージョブの送信に際して、プリンタ２０からジョブの保有状態を示すジョブ保有情報を取得し、プリンタ２０がジョブ保有状態である場合には、コピージョブの送信を不可と判断し、コピージョブの送信をプリンタ２０のジョブ保有がなくなるまで保留するように構成したため、プリンタ２０では、スキャナ１０からのジョブを常にカレントジョブとして実行することができる。
【００７０】
これにより、プリンタ２０の操作パネルからは、カレントジョブに対する中止処理しか指示できなくとも、コピージョブの中止を即座に行えるようになる。また、プリンタ２０で実行されるスキャナ１０側からのコピージョブは、常にカレントジョブとして実行されるため、誤って他のジョブを中止してしまうといった誤操作が生じる可能性も低い。
【００７１】
以上のことから、現行のプリンタ２０の仕様を活かしつつ、スキャナ１０からのジョブに対する中止処理を即座かつ、確実に行うことができる。
【実施例２】
【００７２】
次に、図１に示す全体構成を有する印刷システムにおける第２の実施例について説明する。実施例２では、プリンタ２０のジョブ保有状態をプリンタ２０側からスキャナ１０に対して自発的に通知する場合の実施形態について説明する。
【００７３】
図６は、実施例２に係わるスキャナ１０の内部構成の一例を示すブロック図である。なお、上記実施例１を説明した図２と同一の符号が付してあるものは略同様に動作するため、ここでは相違点についてのみ説明する。
【００７４】
スキャナ１０は、その構成として、給紙トレイ１１と、画像読取部１２と、スキャンバッファ１３と、スキャナ制御部１４と、スキャナ操作パネル１５と、スキャナ通信部１６とを具備して構成される。スキャナ制御部１４以外は、上記図２で説明したものと同じ構成である。
【００７５】
スキャナ制御部１４は内部に、送信可否判断部５２と、保留制御部５３と、読取ジョブ実行制御部５４と、ジョブ保有情報通知指示部５５と、ジョブ保有情報保持部５６とを具備して構成される。すなわち、上記図２で説明した実施例１の構成からジョブ保有情報取得部５１を除いて、ジョブ保有情報通知指示部５５と、ジョブ保有情報保持部５６とを加えた構成となる。
【００７６】
ジョブ保有情報通知指示部５５は、プリンタ２０側から自発的にプリンタ２０のジョブ保有情報を通知するように指示（自発通知指示）を行う。例えば、スキャナ１０側の設定情報により、自発通知指示を行うように設定しておくと、スキャナ１０起動時等に、このジョブ保有情報通知指示部５５からプリンタ２０へと自発通知指示が送信される。
【００７７】
ジョブ保有情報保持部５６は、プリンタ２０から自発的に通知されたプリンタ２０のジョブ保有情報を保持する。すなわち、プリンタ２０で実行中あるいは、実行待ちとなっているジョブがあるかないかの情報（ジョブ有り、ジョブ無し）を保持する。以上が実施例２に係わるスキャナ１０の内部構成を示すブロック図の説明である。
【００７８】
図７は、実施例２に係わるプリンタ２０の内部構成の一例を示すブロック図である。なお、上記実施例１を説明した図３と同一の符号が付してあるものは略同様に動作するため、ここでは相違点についてのみ説明する。
【００７９】
プリンタ２０は、その構成として、印刷出力部２１と、プリンタバッファ２２と、プリンタ制御部２３と、プリンタ操作パネル２４と、プリンタ通信部２５とを具備して構成される。プリンタ制御部２３以外は、上記図３で説明したものと同じ構成である。
【００８０】
プリンタ制御部２３は内部に、ジョブ管理部６２と、中止処理部６３と、ジョブ実行制御部６４と、ジョブ保有情報通知部６５とを具備して構成される。すなわち、上記図３で説明した実施例１の構成からジョブ保有情報応答部６１を除いて、ジョブ保有情報通知部６５を加えた構成となる。
【００８１】
ジョブ保有情報通知部６５は、スキャナ１０から自発通知指示を受け付けた場合に、プリンタ２０のジョブ保有状態が遷移する都度、スキャナ１０に対してプリンタ状態通知を送信する。ジョブ保有情報通知部６５は、ジョブ管理部６２からジョブの保有状態を取得して、その状態に基づいてプリンタ状態通知を送信する。このプリンタ状態通知には、ジョブ有り、ジョブ無しが設定される。以上が実施例２に係わるプリンタ２０の内部構成を示すブロック図の説明である。
【００８２】
図８は、実施例２に係わるスキャナ１０およびプリンタ２０における動作の流れの一例を示すシーケンスチャート図である。
【００８３】
同図には、ネゴシエーションフェーズでのスキャナ１０およびプリンタ２０の動作と、動作フェーズでのスキャナ１０およびプリンタ２０の動作が示される。
【００８４】
まず、ネゴシエーションフェーズでの動作の流れについて説明する。スキャナ１０およびプリンタ２０の電源が投入されると、両者間で接続確認等の初期処理が行われる（ステップＳ３０１）。
【００８５】
その後、スキャナ１０からプリンタ２０へ自発的通知指示が送信される（ステップＳ３０２）。この通知を受信したプリンタ２０は、スキャナ１０に対して自発的にプリンタ状態通知を送信して、ジョブ保有情報を伝えることとなる。
【００８６】
次に、動作フェーズでの動作の流れについて説明する。なお、ここでは、予めスキャナ１０からプリンタ２０に対して自発的通知指示が送られているものとして説明する。
【００８７】
まず、プリンタ２０は、プリントジョブあるいは、他のコピージョブの実行を開始する（ステップＳ４０１）。このようにしてプリンタ２０で印刷ジョブの実行が開始されると、プリンタ２０のジョブ保有状態が遷移したことに伴って、ジョブ保有情報通知部６５からプリンタ状態通知が送信される。このとき、プリンタ状態通知にはジョブ保有情報としてジョブ有りが設定される。
【００８８】
スキャナ１０では、このプリンタ状態通知の受信により、プリンタ２０において他の印刷ジョブが実行中あるいは、実行待ちであることを認識する。この状態でスキャナ１０においてスタートボタンが押下され読取ジョブの実行が指示されると（ステップＳ４０２）、スキャナ１０は、プリンタ２０で印刷ジョブが実行中、あるいは実行待ちであることを把握しているため、ステップＳ４０２でのスタートボタン押下により開始されるスキャン動作、コピージョブ生成、コピージョブ送信処理等の読取ジョブの実行を保留する。
【００８９】
ここで、プリンタ２０でのジョブが終了すると（ステップＳ４０３）、プリンタのジョブ保有状態が遷移したことに伴って、ジョブ保有情報通知部６５からスキャナ１０にプリンタ状態通知が送信される。このとき、プリンタ状態通知にはジョブ保有情報としてジョブ無しが設定される。
【００９０】
スキャナ１０では、このプリンタ状態通知の受信により、プリンタ２０側がジョブ未保有であることを把握すると、読取ジョブの保留を解除し、原稿に対するスキャン処理を開始し原稿画像データを読み取る（ステップＳ４０４）。そして、この原稿画像データを所定のページ記述言語で記述してコピージョブを生成し（ステップＳ４０５）、プリンタ２０へ送信する（ステップＳ４０６）。
【００９１】
ジョブ未保有状態であるプリンタ２０は、このジョブを受信するとともに、当該ジョブを直ちに実行する（ステップＳ４０７）。すなわち、スキャナ１０から受信したジョブをカレントジョブとして実行する。
【００９２】
図９は、実施例２に係わるスキャナ１０の動作の一例を示すフローチャートである。なお、ここでは、予めスキャナ１０からプリンタ２０に対して自発的通知指示が送られているものとして説明する。
【００９３】
スキャナ１０は、プリンタ２０からプリンタ状態を受信するか（ステップＳ５０１でＮＯ）、若しくはユーザによりスタートボタンが押下されるまで待機している（ステップＳ５０３でＮＯ）。
【００９４】
ここで、プリンタ２０からプリンタ状態通知を受信すると（ステップＳ５０１でＹＥＳ）、スキャナ１０のジョブ保有情報保持部５６は、ジョブ保有情報を保持する（ステップＳ５０２）。
【００９５】
また、スタートボタンが押下され読取ジョブの実行が指示されると（ステップＳ５０３でＹＥＳ）、スキャナ１０はまず、ジョブ保有情報保持部５６に保持されたプリンタ２０のジョブ保有情報を確認し（ステップＳ５０４）、コピージョブを送信するか否かを送信可否判断部５２で判断する（ステップＳ５０５）。先に述べた通り、プリンタ２０のジョブ保有情報がジョブ無しである場合には、コピージョブの送信を許可するが、プリンタ２０のジョブ保有情報がジョブ有りである場合には、コピージョブの送信を不可と判断する。
【００９６】
送信可否判断部５２によりコピージョブの送信不可と判断された場合には（ステップＳ５０５でＮＯ）、保留制御部５３により、スキャン動作、コピージョブ生成、コピージョブ送信処理等の読取ジョブの実行を保留状態に制御し（ステップＳ５０６）、プリンタ２０からジョブ保有情報を受信するまで待機する（ステップＳ５０７でＮＯ）。
【００９７】
この待機中に、プリンタ２０からプリンタ状態通知を受信すると（ステップＳ５０７でＹＥＳ）、スキャナ１０のジョブ保有情報保持部５６は、ジョブ保有情報を保持し（ステップＳ５０８）、再び、ステップＳ５０４に戻り、コピージョブを送信するか否かを判断することとなる。
【００９８】
一方、ステップＳ５０５で送信可否判断部５２によりジョブの送信可と判断された場合には（ステップＳ５０５でＹＥＳ）、読取ジョブが保留されているならば（ステップＳ５０９でＹＥＳ）、それを解除し（ステップＳ５１０）、読取ジョブが保留されていないならば（ステップＳ５０９でＮＯ）、そのまま読取ジョブの実行を開始する。
【００９９】
読取ジョブが開始されると、まず、画像読取制御部５４ａが自動給紙フィーダ１１ａおよび画像読取部１２を動作制御し、給紙トレイ１１にセットされた原稿から原稿画像データの読み取りを行う（ステップＳ５１１）。
【０１００】
そして、ジョブ生成部５４ｂで、この原稿画像データを所定のページ記述言語で記述したコピージョブを生成し（ステップＳ５１２）、そのコピージョブを送信処理部５４ｃによりプリンタ２０へ送信する（ステップＳ５１３）。
【０１０１】
このステップＳ５１１からステップＳ５１３までの処理は、給紙トレイ１１にセットされた原稿が全てなくなるまで繰り返し行われ（ステップＳ５１４でＮＯ）、全ての原稿に対して処理が終了すると（ステップＳ５１４でＹＥＳ）、この処理は終了する。
【０１０２】
以上説明したように実施例２においては、プリンタ２０にジョブ保有情報通知部６５を設け、プリンタ２０のジョブ保有状態をプリンタ２０側からスキャナ１０に対して自発的に通知するように構成したため、上記実施例１同様に、現行のプリンタ２０の仕様を活かしつつ、スキャナ１０からのジョブに対する中止処理を即座かつ、確実に行うことができる。
【実施例３】
【０１０３】
次に、図１に示す全体構成を有する印刷システムにおける第３の実施例について説明する。実施例３では、プリンタ２０がジョブ保有状態（ジョブ有り）であるならば、スキャナ１０側からのコピージョブの送信処理のみを保留する場合の動作について説明する。
【０１０４】
なお、実施例３のスキャナ１０およびプリンタ２０の内部構成は上記実施例１の図２、図３で説明したものと略同様であるため、その説明は省略し、ここでは、その動作についてのみ説明する。
【０１０５】
図９は、実施例３に係わるスキャナ１０およびプリンタ２０における動作の流れの一例を示すシーケンスチャート図である。
【０１０６】
ここで、プリンタ２０は、プリントジョブあるいは、他のコピージョブの実行状態にある（ステップＳ６０１）。この状態でスキャナ１０においてスタートボタンが押下され読取ジョブの実行が指示されると（ステップＳ６０２）、スキャナ１０は、原稿に対するスキャン処理を開始し原稿画像データを読み取るとともに（ステップＳ６０３）、その原稿画像データを所定のページ記述言語で記述したコピージョブを生成する（ステップＳ６０４）。
【０１０７】
このようにしてコピージョブ送信前までの処理が終了すると、スキャナ１０は、プリンタ２０のジョブ保有情報を取得する（ステップＳ６０５）。この処理は、プリンタ２０のジョブの保有状態がジョブ有りであるならば、ジョブ無しとなるまで継続して行われ、その間、コピージョブの送信処理は保留される。
【０１０８】
このジョブ保有情報の取得処理では、スキャナ１０からプリンタ状態取得要求が送信され、その応答として、プリンタ２０からプリンタ状態取得応答が返送される。同図では、１回目および２回目のプリンタ状態取得応答では、ジョブ有りである旨がスキャナ１０に返送されている。
【０１０９】
そして、２回目のプリンタ状態取得応答をスキャナ１０で受信した直後に、プリンタ２０での印刷ジョブの実行が終了したため（ステップ６０６）、３回目のプリンタ状態取得応答では、プリンタ２０のジョブ保有状態がジョブ無しである旨がスキャナ１０に返送される。
【０１１０】
プリンタ２０のジョブ保有状態がジョブ無しになったことを受けると、スキャナ１０は、コピージョブの送信保留を解除し、コピージョブをプリンタ２０へ送信する（ステップＳ６０７）。
【０１１１】
ジョブ未保有状態であるプリンタ２０は、このジョブを受信するとともに、当該ジョブを直ちに実行する（ステップＳ６０８）。すなわち、スキャナ１０から受信したジョブをカレントジョブとして実行する。
【０１１２】
図１０は、本発明に係わるスキャナ１０の動作の一例を示すフローチャートである。
【０１１３】
スキャナ１０は、ユーザにより原稿が給紙トレイ１１にセットされ、スタートボタンが押下されるまで待機している（ステップＳ７０１でＮＯ）。
【０１１４】
ここで、スタートボタンが押下され読取ジョブの実行が指示されると（ステップＳ７０１でＹＥＳ）、スキャナ１０は、読取ジョブの実行を開始する。
【０１１５】
読取ジョブが開始されると、まず、画像読取制御部５４ａが自動給紙フィーダ１１ａおよび画像読取部１２を動作制御し、給紙トレイ１１にセットされた原稿から原稿画像データの読み取りを行う（ステップＳ７０２）。
【０１１６】
そして、ジョブ生成部５４ｂで、この原稿画像データを所定のページ記述言語で記述したコピージョブを生成する（ステップＳ７０３）。この生成されたコピージョブは、一時的にメモリ（ハードディスクを設け、記憶してもよい）等に退避される。
【０１１７】
このステップＳ７０２からステップＳ７０３までの処理は、給紙トレイ１１にセットされた原稿が全てなくなるまで繰り返し行われ（ステップＳ７０４でＮＯ）、全ての原稿に対して処理が終了すると（ステップＳ７０４でＹＥＳ）、ジョブ保有情報取得部５１によりプリンタ２０のジョブ保有情報を取得する。すなわち、プリンタ２０に対してプリンタ状態取得要求を送信し（ステップＳ７０５）、その応答を受信することで、プリンタ２０のジョブ保有情報を取得する。
【０１１８】
プリンタ状態取得要求を送信したスキャナ１０は、応答待ちとなる（ステップＳ７０６でＮＯ）。そして、この待機中にプリンタ２０から応答を受信すると（ステップＳ７０６でＹＥＳ）、プリンタ２０のジョブ保有状態によりコピージョブを送信するか否かを送信可否判断部５２で判断する。先に述べた通り、プリンタ２０のジョブ保有情報がジョブ無しである場合には、コピージョブの送信を許可するが、プリンタ２０のジョブ保有情報がジョブ有りである場合には、コピージョブの送信を不可と判断する。
【０１１９】
ここで、送信可否判断部５２によりコピージョブの送信不可と判断された場合には（ステップＳ７０７でＮＯ）、保留制御部５３により、コピージョブの送信を保留状態に制御し（ステップＳ７０９）、スキャナ表示部１５ａに送信保留の旨を表示する（ステップＳ７０９）。ここで、送信保留の旨を表示するのは、スキャン動作等のユーザが視覚的に確認できるスキャナ１０の動作は終了しているため、ユーザにとっては、スキャナ１０あるいはプリンタ２０のいずれでジョブが実行されているかが把握し辛く、ジョブの中止を指示する場合に、ジョブの中止を的確に行えなくなる可能性があるからである。
【０１２０】
スキャナ１０は、送信保留の旨を表示しつつ所定時間待機後（ステップＳ７１０）、再び、ステップＳ７０５に戻り、プリンタ２０に対してプリンタ状態取得要求を送信する。
【０１２１】
一方、ステップＳ７０７で送信可否判断部５２によりコピージョブの送信可と判断された場合には（ステップＳ７０７でＹＥＳ）、コピージョブの送信が保留されているならば（ステップＳ７１１でＹＥＳ）、それを解除し（ステップＳ７１２）、コピージョブの送信が保留されていないならば（ステップＳ７０７でＮＯ）、スキャナ表示部１５ａにコピージョブ送信中である旨を表示するとともに（ステップＳ７１３）、コピージョブの送信を開始し（ステップＳ７１４）、この処理を終了する。
【０１２２】
なお、上記実施例３においては、説明の便宜上、原稿に対するスキャン動作等の処理終了後に、プリンタ２０のジョブ保有情報を取得する場合を説明したが、コピージョブ送信前までにコピージョブの送信可否を判断できれば、本発明の機能は実現されるため、これらの処理順序は特に問わない。例えば、スキャン動作中にプリンタのジョブ保有情報を取得するようにしてもよいし、スキャン動作中にコピージョブの送信可否を判断できるならば、スキャン動作をしつつコピージョブの送信を行うようにしてもかまわない。
【０１２３】
以上説明したように実施例３においては、プリンタ２０がジョブ保有状態（ジョブ有り）であるならば、スキャナ１０側からのコピージョブの送信処理のみを保留するように構成したため、プリンタ２０がジョブ保有状態であっても、スキャン動作等は先に行われるため、全体にかかる処理時間を短縮できる可能性が高くなる。
【０１２４】
なお、上記実施例１乃至３においては、プリンタ２０のジョブ保有情報が、ジョブ有り、ジョブ無しの情報である場合を説明したが、これに限られず、スキャナ１０側から送信するコピージョブがプリンタ２０側でカレントジョブとして実行されるか否かを判断できる情報であれば本発明の機能は実現される。
【０１２５】
例えば、ジョブ保有情報をプリンタ２０のジョブキューに格納されたジョブの数としてもよい。また、プリンタ２０のステータス（処理中、待機中等）であってもよい。
【０１２６】
この他、本発明は、上記および図面に示す実施例に限定することなく、その要旨を変更しない範囲内で適宜変形して実施できるものである。例えば、上記実施例１乃至３を用いて、本発明に係わる印刷システムについて説明したが、この実施例１乃至３の実施形態を全て、あるいは一部を組み合わせて実施してもよい。
【産業上の利用可能性】
【０１２７】
本発明の印刷システムおよび画像読取装置およびその制御方法は、画像読取装置と印刷装置とを配する印刷システム全般に適用可能であり、特に、画像読取装置側で誤った原稿の読取処理を開始してしまった場合にも、その中止を即座かつ、確実に行えるようになる。
【図面の簡単な説明】
【０１２８】
【図１】本発明に係わる印刷システムの全体構成の一例を示すブロック図である。
【図２】本発明に係わるスキャナ１０の内部構成の一例を示すブロック図である。
【図３】本発明に係わるプリンタ２０の内部構成の一例を示すブロック図である。
【図４】本発明に係わるスキャナ１０およびプリンタ２０における動作の流れの一例を示すシーケンスチャート図である。
【図５】本発明に係わるスキャナ１０の動作の一例を示すフローチャートである。
【図６】実施例２に係わるスキャナ１０の内部構成の一例を示すブロック図である。
【図７】実施例２に係わるプリンタ２０の内部構成の一例を示すブロック図である。
【図８】実施例２に係わるスキャナ１０およびプリンタ２０における動作の流れの一例を示すシーケンスチャート図である。
【図９】実施例２に係わるスキャナ１０の動作の一例を示すフローチャートである。
【図１０】実施例３に係わるスキャナ１０およびプリンタ２０における動作の流れの一例を示すシーケンスチャート図である。
【図１１】実施例３に係わるスキャナ１０の動作の一例を示すフローチャートである。
【符号の説明】
【０１２９】
１０    スキャナ
１１    給紙トレイ
１１ａ    自動給紙フィーダ
１２    画像読取部
１３    スキャンバッファ
１４    スキャナ制御部
１５    スキャナ操作パネル
１５ａ    スキャナ表示部
１５ｂ    スキャナ操作部
１６    スキャナ通信部
２０    プリンタ
２１    印刷出力部
２２    プリンタバッファ
２３    プリンタ制御部
２４    プリンタ操作パネル
２４ａ    プリンタ表示部
２４ｂ    プリンタ操作部
２５    プリンタ通信部
３０    ホスト端末
５１    ジョブ保有情報取得部
５２    送信可否判断部
５３    保留制御部
５４    読取ジョブ実行制御部
５４ａ    画像読取制御部
５４ｂ    ジョブ生成部
５４ｃ    送信処理部
５５    ジョブ保有情報通知指示部
５６    ジョブ保有情報保持部
６１    ジョブ保有情報応答部
６２    ジョブ管理部
６３    中止処理部
６４    ジョブ実行制御部
６５    ジョブ保有情報通知部
【図１】
0004507999.tif 000002
【図２】
0004507999.tif 000003
【図３】
0004507999.tif 000004
【図４】
0004507999.tif 000005
【図５】
0004507999.tif 000006
【図６】
0004507999.tif 000007
【図７】
0004507999.tif 000008
【図８】
0004507999.tif 000009
【図９】
0004507999.tif 000010
【図１０】
0004507999.tif 000011
【図１１】
0004507999.tif 000012